(57)【特許請求の範囲】
【請求項１】
金属平板の全面に左右方向に長い長孔が上下及び左右方向に規則的な配列で多数設けられた孔あき金属板の上端部と下端部の双方、又はいずれか一方の端部に、同孔あき金属板を折り曲げて長孔を有する胴縁部が一体的に形成されて成り、
前記孔あき金属板の胴縁部に設けられた前記長孔を利用してボルトを通し、ブラケットのボルト孔へも通すボルト接合により胴縁部の支柱へ取り付け、又は胴縁部同士の連結が行われ、また、平板部の長孔へ通したボルトによる平板部の支柱への取り付け、又は平板部の長孔へ通したボルトをブラケットのボルト孔へも通すボルト接合により平板部を支柱へ取り付け、若しくは平板部同士の連結を行ってフェンスを構築できることを特徴とする、胴縁一体型フェンス用パネル。
【請求項２】
支柱と支柱の間の部位に、上記請求項１に記載した胴縁一体型フェンス用パネルが配置され、
該胴縁一体型フェンス用パネルの胴縁部は、胴縁固定ブラケットの一端部を胴縁部の中空部内へ挿入し、胴縁部の長孔へ通したボルトを前記胴縁固定ブラケットのボルト孔へも通してボルト接合され、更に前記胴縁固定ブラケットの他端部を支柱とボルト接合して胴縁部の支柱への取り付けが行われ、
前記胴縁一体型フェンス用パネルの平面部は、前記支柱を挟んで隣接する平面部同士へ跨る長さを有し同平面部の前後面を挟む配置とした一対の平面ブラケットの各ボルト孔から各平面部の該当する長孔へボルトを通して接合し平面部の支柱への取り付けが行われていることを特徴とする、胴縁一体型フェンス。
【請求項３】
金属平板の全面に左右方向に長い長孔が上下及び左右方向に規則的な配列で多数設けられた孔あき金属板の上端部にのみ同孔あき金属板を折り曲げて長孔を有する上側胴縁部が一体的に形成されて成る胴縁一体型フェンス用パネルが、支柱の前面に平面部を接し、上側胴縁部は支柱の上端よりも上方に位置させ、隣合う支柱の中間位置で同パネルの上側胴縁部同士及び縦縁同士を突き合わせた配置とされ、
前記胴縁一体型フェンス用パネルが支柱と接する平面部は、同平面部の長孔からこれと一致する支柱のボルト孔へ通したボルトにより接合して支柱への取り付けが行われ、
前記胴縁一体型フェンス用パネルの上側胴縁部同士は、突き合わされた双方の上側胴縁部に跨って外接される長さを有し上側胴縁部の前後面へ外接された一対の円弧状ブラケットのボルト孔から上側胴縁部の長孔へ通したボルトにより接合して相互に連結され、
前記隣合う支柱の中間位置で縦縁同士を突き合わされた胴縁一体型フェンス用パネルの平面部同士は、双方の平面部へ跨る長さを有し前後面へ外接された一対の平板状ブラケットのボルト孔から平面部の長孔へ通したボルトにより接合して連結されていることを特徴とする、胴縁一体型フェンス。
【発明の詳細な説明】
【技術分野】
【０００１】
この発明は、左右方向に長い多数の長孔を上下・左右方向に規則的な配列で全面に設けた金属平板の上端部と下端部若しくはいずれか一方を折り曲げて胴縁部を一体的に形成して成る胴縁一体型フェンス用パネルと、前記胴縁一体型フェンス用パネルを柵用板に使用して構築した、防風・防雪柵や防砂柵、又は通風性を有する目隠し柵等（以下、胴縁一体型フェンスと総称する。）の技術分野に属する。
【背景技術】
【０００２】
従来、孔あき金属板を使用したフェンスとしては、金属板の上端に支柱の上端まで覆い隠す大型断面の手すりを備えた手すり一体型フェンスが、下記の特許文献１に記載されて公知に属する。しかし、手すり部分には当然のことながら孔を設けてなく、手摺り部分は別途用意した手すり固定具で支柱に固定されている。この手すり一体型フェンスは、ビルの屋上やベランダ、通路等における安全柵、侵入防止柵として設置される。
従来、防風・防雪柵、防砂柵、通風性を有する目隠し柵として適するように、多数の孔が規則的配列に設けられた金属板を採用したフェンス用パネルまたは金属板型フェンスに関しては、以下のような技術が公知である。
【０００３】
下記の特許文献２に開示された防風壁用パネルは、平板状のパネルに円形の小透孔を面積比で５％以上〜３０％以下で等分布に配設した構成であり、支柱間の上下に胴縁を取り付け、防風壁用パネルの上下端を前記胴縁と連結して防風柵が構築されている。
【０００４】
特許文献３に開示された金属板型フェンスは、側面方向に見ると２連のカマボコ型に曲げ加工された金属板の凸部に、孔径が１ｃｍ〜３ｃｍ程度の多数の孔を密集して設け、平坦部には１５ｍｍ×２４ｍｍ程度の長孔を一列に設けた金属板をフェンス用パネルとして使用し、支柱間の上下方向へ前記フェンス用パネルを必要枚数当てがい、平坦部の孔を利用して支柱に固定し防風、防砂用柵、あるいはガーデニング用柵として設置されている。
【０００５】
【特許文献１】特開平８−４２２００号公報
【特許文献２】特開平３−６３３０７号公報
【特許文献３】実用新案登録第３０６４７７３号公報
【発明の開示】
【発明が解決しようとする課題】
【０００６】
上記特許文献１の手すり一体型フェンスは、大型断面の手すりを一体的に折り曲げ成形しているが、これを支柱に取り付けるには、別途用意した複数の手すり固定具を使用しなければならず面倒な作業を要する。金属板に多数の孔が開けられているが、これは意匠的効果を意図したパンチング模様を表現したものでしかない。
【０００７】
特許文献２に開示された防風壁用パネルは、予め支柱間の上下に取り付けた胴縁及び支柱に対して、防風壁用パネルの上下縁をボルト止め等の手段で連結して取り付けるので、防風柵の構築作業の工数が多くかかり面倒である。
【０００８】
特許文献３の金属板型フェンスは、側面方向に見てカマボコ型に折り曲げ加工した金属板の凸部と平坦部とに、孔の形状、大きさ、配列が異なる多数の孔を孔あけ加工するので、孔あけ加工技術が高度なものとなり、生産性が悪く、高コストになってしまう。
【０００９】
本発明の目的は、金属平板の全面に多数の長孔を上下・左右方向に規則的配列に設けた孔あき金属板の上端部と下端部の双方、若しくはいずれか一方の端部を折り曲げて胴縁部を一体に形成した胴縁一体型フェンス用パネルと、及び前記胴縁一体型フェンス用パネルを柵用板に使用して構築される、防風・防雪柵や防砂柵、又は通風性を有する目隠し柵等として好適な胴縁一体型フェンスを提供することにある。
【課題を解決するための手段】
【００１０】
上述の課題を解決するための手段として、請求項１に記載した発明に係る胴縁一体型フェンス用パネルは、
金属平板の全面に左右方向に長い長孔１…が上下及び左右方向に規則的な配列で多数設けられた孔あき金属板の上端部と下端部の双方、又はいずれか一方の端部に、同孔あき金属板を折り曲げて長孔１を有する胴縁部２（又は２ａ、２ｂ）が一体的に形成されて成り、
前記孔あき金属板の胴縁部２に設けられた前記長孔１を利用してボルトを通し、ブラケットのボルト孔へも通すボルト接合により胴縁部２の支柱４への取り付け、又は胴縁部２同士の連結が行われ、また、平板部３の長孔１へ通したボルトによる平板部３の支柱４のへ取り付け、又は平板部３の長孔へ通したボルトをブラケットのボルト孔へも通すボルト接合により平板部３を支柱４へ取り付け、若しくは平板部３、３同士の連結を行ってフェンスを構築できることを特徴とする。
【００１１】
請求項２に記載した発明に係る胴縁一体型フェンスは、
支柱４と支柱４の間の部位に、上記請求項１に記載した胴縁一体型フェンス用パネルＰ１又はＰ２が配置され、
該胴縁一体型フェンス用パネルＰ１又はＰ２の胴縁部２（又は２ａ、２ｂ）は、胴縁固定ブラケット５の一端部を胴縁部２の中空部内へ挿入し、胴縁部２の長孔１へ通したボルト５ｃを前記胴縁固定ブラケット５のボルト孔へも通してボルト接合され、更に前記胴縁固定ブラケット５の他端部を支柱４とボルト接合して胴縁部２の支柱４への取り付けが行われ、
前記胴縁一体型フェンス用パネルＰ１又はＰ２の平面部３は、前記支柱４を挟んで隣接する平面部３、３同士へ跨る長さを有し同平面部３の前後面を挟む配置とした一対の平面ブラケット６の各ボルト孔から各平面部３の該当する長孔１へボルト６ｂを通して接合し平面部３の支柱４への取り付けが行われていることを特徴とする。
【００１２】
請求項３に記載した発明に係る胴縁一体型フェンスは、
金属平板の全面に左右方向に長い長孔１…が上下及び左右方向に規則的な配列で多数設けられた孔あき金属板の上端部にのみ同孔あき金属板を折り曲げて長孔１を有する上側胴縁部２が一体的に形成されて成る胴縁一体型フェンス用パネルＰ１が、支柱４の前面に平面部３を接し、上側胴縁部２は支柱４の上端よりも上方に位置させ、隣合う支柱４、４の中間位置で同パネルの上側胴縁部２、２同士及び縦縁同士を突き合わせた配置とされ、
前記胴縁一体型フェンス用パネルＰ１が支柱４と接する平面部３は、同平面部３の長孔１からこれと一致する支柱４のボルト孔へ通したボルト７により接合して支柱４への取り付けが行われ、
前記胴縁一体型フェンス用パネルＰ１の上側胴縁部２、２同士は、突き合わされた双方の上側胴縁部２、２に跨って外接される長さを有し上側胴縁部２の前後面へ外接された一対の円弧状ブラケット８のボルト孔から上側胴縁部２の長孔１へ通したボルト８ｂにより接合して相互に連結され、
前記隣合う支柱４、４の中間位置で縦縁同士を突き合わされた胴縁一体型フェンス用パネルＰ１の平面部３、３同士は、双方の平面部３へ跨る長さを有し前後面へ外接された一対の平板状ブラケット９のボルト孔から平面部３の長孔１へ通したボルト９ｂにより接合して連結されていることを特徴とする。
【発明の効果】
【００１３】
請求項１に記載した発明に係る胴縁一体型フェンス用パネルＰ１又はＰ２を柵用板に使用すると、胴縁を別途支柱間に設ける必要がなく、平板部３及び胴縁部２に設けられた長孔１を利用して直接支柱４へ取り付けることができる。よって、フェンス構築の工数が減り、頑丈で部品点数の少ない胴縁一体型フェンスＦ１〜Ｆ３の構築を実現できる。
また、金属平板の全面に上下・左右方向に規則的配列で長孔１…を設けるので、孔あけ加工が簡単で生産性に優れる。この胴縁一体型フェンス用パネルＰ１又はＰ２は、支柱４への取り付け間隔に合わせて裁断長さの調節が自在にできる。すなわち、任意所望の位置で縦に裁断して寸法を小さくしたときも、支柱４へ取り付けるための取付け孔を別途設ける加工は不要である。
請求項２、３に記載した発明に係る胴縁一体型フェンスＦ１〜Ｆ３は、別途支柱４、４間に胴縁を取り付ける手間が無用で、支柱４へブラケットを取り付けて用意し、或いはパネル同士の連結用ブラケットを用意するだけで良く、他に格別孔あけ加工を必要とすることなく、簡単、確実に少ない工数で設置することができる。
【発明を実施するための最良の形態】
【００１４】
本発明の胴縁一体型フェンス用パネルは、金属平板の全面に左右方向に長い長孔１…を上下及び左右方向に規則的配列で多数設けた孔あき金属板の上端部と下端部の双方、又はいずれか一方の端部に同孔あき金属板を折り曲げて長孔１を有する胴縁部２（又は２ａ、２ｂ）が形成されて成る。
本発明の胴縁一体型フェンスは、支柱４と支柱４の間の部位又は支柱の前面に、前記構成の胴縁一体型フェンス用パネルＰ１又はＰ２を配置し、同パネルの胴縁部２は、胴縁固定ブラケット５の一端部５ａを胴縁部２の中空部内へ挿入して、胴縁部２の長孔１へ通したボルト５ｃを前記胴縁固定ブラケット５のボルト孔５ｈへも通してボルト接合し、同ブラケット５の他端部５ｅを支柱４とボルト接合して支柱４へ取り付ける。
前記パネルの平面部３は、前記支柱４を挟んで隣接する平面部３、３同士へ跨る長さを有し同平面部３の前後面を挟む配置とした一対の平面ブラケット６、６の各ボルト孔６ａから平面部３の該当する長孔１へボルト６ｂを通して接合し構築する。
【実施例１】
【００１５】
図１は、請求項１に係る発明の胴縁一体型フェンス用パネルＰ１であり、特に上端部にのみ胴縁部２を形成した実施例を示す。
この胴縁一体型フェンス用パネルＰ１は、金属平板（通例鋼板）の全面に左右方向に長い長孔１…を上下及び左右方向に整列した規則的配列で設けた孔あき金属板の上端部を、前記孔あけ加工の後に折り曲げた円筒形状の上側胴縁部２を形成した構成であり、平面部３と上側胴縁部２に複数の長孔１…が共通な形状と大きさ・配列で設けられている。
長孔１は、図３のようにフェンス用柵板として使用した場合には、使い勝手の良い左右方向に長い長円形状として、かつ全て同大、同一形状に設けられている。長孔１は、上側胴縁部２及び平板部３の端部近傍にまで設けられている（そのように孔あき金属板が縦に裁断されている）。よって、これらの長孔１を利用すると、図３のように、この胴縁一体型フェンス用パネルＰ１を支柱４、４の間へ取り付けるための取付け孔を別途に設けることは不要である。長孔１…は、上下・左右方向に整列した規則的配列で設けているので、支柱４、４の設置間隔に応じた縦の裁断が容易である。
図１に示した実施例の胴縁一体型フェンス用パネルＰ１は、平板状の下縁部をＬ字形又はレ形状その他の所望形状に曲げて使用することもできる。
【００１６】
本発明の胴縁一体型フェンス用パネルＰ１は、図１のとおり、孔を左右方向に長い長孔１として設けたので、路面が道路長手方向に傾斜している場所で、鉛直に立てた支柱４に対して、図３又は図６に示す形式の胴縁一体型フェンスを路面勾配に合わせて傾斜させて設置する場合に融通性があり、設置作業が容易である。また、本発明の実施例では孔を長孔１として示したが、本発明の要旨を逸脱しない範囲において、種々な形状の孔で実施することができる。
【実施例２】
【００１７】
図２も、請求項１に係る発明の異なる実施例であり、特に上・下双方の端部に長孔１を有する胴縁部２ａ、２ｂを形成した胴縁一体型フェンス用パネルＰ２を示す。
図２に示した胴縁一体型フェンス用パネルＰ２も、やはり金属平板の全面に左右方向に長い多数の長孔１…を上下・左右方向に規則的な配列で設けた孔あき金属板の上端部および下端部の双方に、同孔あき金属板を折り曲げてそれぞれ長孔１を有する円筒形状の上側胴縁部２ａおよび下側胴縁部２ｂが形成されている。本実施例２の場合も、平面部３と上側胴縁部２ａおよび下側胴縁部２ｂの長孔１…は、共通な配列で左右方向に長い同形・同大の長円形状である。本実施例２の場合は下側胴縁部２ｂを備えているので、上下に胴縁を備えた胴縁一体型フェンスの設置に好都合である。
【実施例３】
【００１８】
図３は、請求項２に記載した発明に係る胴縁一体型フェンスＦ１の実施例を示している。
この胴縁一体型フェンスＦ１は、図１に示した胴縁一体型フェンス用パネルＰ１を用いた実施例である。道路の路側に沿って一定の間隔で立てられ支柱４、４…の間へ、同支柱４、４の間隔と一致する長さ寸法に裁断した胴縁一体型フェンス用パネルＰ１を配置し、その上側胴縁部２ａと平面部３を専用のブラケット５、６にて支柱４へ取り付けて支持させ設置されている。
【００１９】
図４Ａ〜Ｃには、胴縁固定ブラケット５で上側胴縁部２ａを支柱４へ取り付けて支持させた構成を示した。
上記胴縁一体型フェンス用パネルＰ１の上側胴縁部２の中空部内へ胴縁固定ブラケット５における平板状の一端部５ａを差し込む。一方、上側胴縁部２の前後の両面へ当てがった座金５ｂは、その上下の爪部を上側胴縁部２の対応する長孔１、１へ掛け止める。この座金５ｂの外側から上側胴縁部２の該当する長孔１へ貫通させたボルト５ｃを、前記胴縁固定ブラケット５の一端部５ａのボルト孔へも通し、前記座金５ｂを介してナット５ｄを締め付け接合が行われている。
当該胴縁固定ブラケット５の他端に形成した半円筒部５ｅは、左右のもの同士を互い違いの関係で支柱４の外周へ半巻き状に重ね、ボルト５ｆを前記半円筒部５ｅのボルト孔５ｈから支柱４の直径線方向に設けたボルト孔へ共通に通し、反対側からナット５ｇを締め付けて接合されている。
こうして一対の胴縁固定ブラケット５、５を支柱４へボルト５ｆ、ナット５ｇで接合することにより、同支柱４の両側に隣接する胴縁一体型フェンス用パネルＰ１、Ｐ１の上側胴縁部２は支柱４に支持させ固定されている。
なお、胴縁一体型フェンス用パネルＰ１の支柱４に対する上側胴縁部２の取り付け手段は、図４に示した構成の胴縁固定ブラケット５を使用する手法に限るものではなく、適合する他の種々な構成のブラケットを採用して実施することできる。
【００２０】
図５Ａ、Ｂには、上記図３に示した胴縁一体型フェンス用パネルＰ１の平面部３を支柱４へ取り付ける平面ブラケット６の使用状態を示した。
平面ブラケット６は、支柱４を間に挟んで隣接する胴縁一体型フェンス用パネルＰ１の平面部３のうち、縦縁近傍の前後面をサンドイッチ状態に挟み付ける一対で構成されている（図５Ａ）。この平面ブラケット６は、支柱４の外周を二分して挟む半円状筒部６ｄの両側に平坦な接合平面６ｅを一定の長さで有している。該平面ブラケット６は、前記胴縁一体型フェンス用パネルＰ１の平面部３の縦縁近傍の前後面を平坦な接合平面６ｅでサンドイッチ状態に挟み付ける。そして、前記接合平面６ｅのボルト孔６ａと、これに合致する平面部３の長孔１とへボルト６ｂを通し、反対側からナット６ｃを締め付けて接合することで支柱４への取り付けも行われる。
但し、胴縁一体型フェンス用パネルＰ１の平面部３、３同士の接合及び支柱４への取り付け手段として、図５に示す構成の平面ブラケット６を使用する手法に限定する意味ではない。適合する他の種々な構成の平面ブラケットを採用して実施することができる。
なお、本発明の胴縁一体型フェンスＦ１には、図１に示した上側胴縁部２のみ有する胴縁一体型フェンス用パネルＰ１のほか、図２に示すように上下に胴縁部２ａ、２ｂを有する胴縁一体型フェンス用パネルＰ２を用いて構築することもできる。後者の場合は、上下の胴縁部２ａ、２ｂを図４に示した胴縁固定ブラケット５で支柱４へ支持させ固定する。
【実施例４】
【００２１】
図６Ａ、Ｂに示した胴縁一体型フェンスＦ２は、図１に示した胴縁一体型フェンス用パネルＰ１を上下に逆向きの姿勢で２枚使用して構築した背の高い構成である。上下２枚の胴縁一体型フェンス用パネルＰ１、Ｐ１はそれぞれ、上記図４に示した胴縁固定ブラケット５と、及び図５に示した平面ブラケット６とにより支柱４へ支持させ固定されている。
【実施例５】
【００２２】
図７Ａ、Ｂは、請求項３に記載した発明に係る胴縁一体型フェンスＦ３の実施例を示している。
この胴縁一体型フェンスＦ３は、やはり図１に示した上側胴縁部２のみ有する胴縁一体型フェンス用パネルＰ１を用いた実施例である。道路の路側に沿って立てられた各支柱４、４の前面に、前記胴縁一体型フェンス用パネルＰ１が、その上側胴縁部２ａが支柱４の上端よりも少し上方へ位置するように配置され（図７Ｂ）、各支柱４の前面に平面部３が接し、同平面部３の長孔１へ通したボルト７にて接合し固定されている。
そして、図７Ａの実施例では、隣り合う支柱４、４の略中央で、胴縁一体型フェンス用パネルＰ１，Ｐ２の上側胴縁部２及び縦縁同士が突き合わされ、突き合わせた上側胴縁部２、２同士、及び平面部３、３同士はそれぞれブラケット８、９を介して相互に連結されている。
【００２３】
図８Ａ、Ｂは、上記のように突き合わせた上側胴縁部２、２同士をブラケット８を介してボルト接合し連結する構成を示している。
ブラケット８は、突き合わされた上側胴縁部２、２の双方に跨って連結するに足る長さを有し、各上側胴縁部２の外周面の前後面に外接する断面円弧状をなす一対（８ａ、８ａ）から成り、この一対のブラケット８ａ、８ａの左右２個のボルト孔へ通し、且つ該当する上側胴縁部２の長孔１へ貫通させたボルト８ｂへナット８ｃを締結して相互に連結されている。
但し、上側胴縁部２、２同士の連結は上記構成の手法に限らない。
【００２４】
図９Ａ、Ｂは、上記の胴縁一体型フェンス用パネルＰ１の隣接する平面部３、３同士の連結をブラケット９を使用して行った構成を示している。
ブラケット９は、上記したように隣接する胴縁一体型フェンス用パネルＰ１の平面部３、３の双方へそれぞれ等分の長さ跨って連結するに足る長さを有し、各平面部３の前後面へ外接される一対９ａ、９ａで構成されている。この一対の平板状ブラケット９ａ、９ａは、その左右２個のボルト孔を通じて平面部３の該当する長孔１へ貫通させたボルト９ｂへナット９ｃを締結して相互に連結されている。
但し、平面部３、３同士の連結は、上記構成の手法に限らない。
【００２５】
以上に、本発明を図示した実施例に基づいて説明したが、本発明は、こうした実施例に何ら限定されるものではない。本発明の要旨を逸脱しない範囲において、当業者が必要に応じて行う設計変更も含めて種々な態様で実施できることは勿論である。
【図面の簡単な説明】
【００２６】
【図１】本発明の胴縁一体型フェンス用パネルの実施例を示す斜視図である。
【図２】本発明の胴縁一体型フェンス用パネルの異なる実施例を示す斜視図である。
【図３】本発明の胴縁一体型フェンスの実施例を示す正面図である。
【図４】Ａは胴縁固定ブラケットの使用状態を示す平面視断面図、Ｂは同正面図、Ｃは側面図である。
【図５】Ａは平面ブラケットの使用状態図を示す平面視断面図、Ｂは同正面図である。
【図６】Ａは本発明の胴縁一体型フェンスの異なる実施例を示す正面図、ＢはＡにおけるIV−IV断面図を示す。
【図７】Ａ、Ｂは本発明の胴縁一体型フェンスの更なる実施例の正面図と側面図である。
【図８】Ａ、Ｂは胴縁部の連結状態で示す正面図と側面図である。
【図９】Ａ、Ｂは平面部の連結状態で示す平面図と正面図である。
【符号の説明】
【００２７】
Ｐ１  胴縁一体型フェンス用パネル
１    長孔
２    胴縁部
３    平面部
Ｐ２  胴縁一体型フェンス用パネル
２ａ  上側胴縁部
２ｂ  下側胴縁部
Ｆ１  胴縁一体型フェンス
４    支柱
５    胴縁固定ブラケット
６    平面ブラケット
７    ボルト
Ｆ２  胴縁一体型フェンス
８    胴縁部の連結用ブラケット
９    平面部の連結用ブラケット
【図１】
0004675090.tif 000002
【図２】
0004675090.tif 000003
【図３】
0004675090.tif 000004
【図４】
0004675090.tif 000005
【図５】
0004675090.tif 000006
【図６】
0004675090.tif 000007
【図７】
0004675090.tif 000008
【図８】
0004675090.tif 000009
【図９】
0004675090.tif 000010